(57)【要約】      （修正有）【課題】簡単な構成の括りわなを提供する。【解決手段】括りわな１は、互いに連結される第１及び第２の半環部材２ａ、２ｂで構成され、連結部２ｃで折り曲げ可能な可動環２と、可動環の外周に圧縮力を持って巻き付けられる括り輪を有するワイヤ７ａと、第１及び第２の半環部材の中央部から下方に延び、下方の端部に貫通孔３１ａ、３１ｂを有する第１及び第２の連結部材３ａ、３ｂと、貫通孔に挿入され、エサＥを取り付け可能なピン６とを備える。サルが可動環２に手を通しエサを掴んで引っ張ると、ピンが貫通孔から抜け、貫通孔の部分が互いに離れるように連結部材が動き、可動環が連結部で折れ曲がる。可動環が折れ曲がると、括り輪が可動環から外れて、圧縮バネ７３の力によってサルの腕は括り輪で締められ、サルは捕獲される。【選択図】図１
0003200950.tif 000002
【実用新案登録請求の範囲】
【請求項１】
互いに連結される第１及び第２の半環部材で構成され、前記第１及び第２の半環部材の連結部で折り曲げ可能な可動環と、
前記可動環の外周に巻き付けられる括り輪を有し、前記括り輪が締まるように付勢可能な括りワイヤと、
前記第１及び第２の半環部材それぞれの中央部から下方に延び、下方の端部が、前記可動環が折れ曲がっていない状態で上方から見て互いに重なっており、当該重なる位置に貫通孔が設けられる、第１及び第２の連結部材と、
前記第１及び第２の連結部材の前記貫通孔に挿入され、エサを取り付け可能なピンと、を備える、括りわな。
【請求項２】
請求項１に記載の括りわなであって、
上面に開口を有する容器と、
前記開口に掛け渡され、互いに近づく方向に移動可能な一対の支持棒とをさらに備え、
前記一対の支持棒それぞれの中央部は、前記第１及び第２の半環部材それぞれの前記中央部に接続される、括りわな。
【請求項３】
請求項２に記載の括りわなであって、
前記容器の側面の少なくとも１つは、網又は透明部材で形成された面を有する、括りわな。
【考案の詳細な説明】
【技術分野】
【０００１】
本考案は、括りわなに関し、さらに詳しくは、サルなどの野生動物を捕獲するための括りわなに関する。
【背景技術】
【０００２】
従来、括りわなとしては、例えば、特許文献１及び特許文献２に開示されたものが存在している。
【０００３】
実用新案登録第２５７６０１８号公報（特許文献１）に開示の捕獲具は、開口部を有する筒状の捕獲部本体の開口部外周壁に沿って、ワイヤとスプリング部材によって形成される拡径自在な環状部を圧着せしめた構成を有する。ワイヤは、一端が地面に固定され，他端に捕獲用首輪部を形成する。捕獲部本体の内周壁には、捕獲作動棒部が上下動自在に装着される。捕獲作動棒部の下端は内側へ折曲形成されてエサ係止部をなし、捕獲作動棒部の上端は、捕獲部本体の開口部外周縁に切欠形成される凹部から開口部外へ突出するよう外側へ折曲形成されて首輪係留部をなす。
【０００４】
犬が、捕獲具本体内に頭を突っ込んだ状態で、エサを噛み引き上げると、捕獲作動棒部も引き上げられ、その状態の首輪係留部によって、捕獲用首輪部のスプリング部材が開口部の外周壁より外され、犬の首を絞めた状態となる。これにより、犬が捕獲される。
【０００５】
特開平８−３２２４５２号公報（特許文献２）に開示の捕獲具は、開口部を有する捕獲具本体と、開口部付近に配置され、開口部の一部分を支点にして回転可能なリング部材を備える。リンク部材は、第１バネ部材によって前方へ回動するよう付勢され、エサを取り付けるエサ取付部材とリンク機構で連絡された係止部材により、開口部の外周にセットされる。リング部材の外周には、ワイヤの輪が掛けられ、ワイヤの輪は、第２バネ部材により輪が縮む方向に付勢される。
【０００６】
犬が開口部に首を突っ込んで餌を引っ張ると、エサ取付部材が作動し、エサ取付部材と連絡された係止部材が、リング部材から外れる。それによりリング部材が係止部材から外れて、前方へ回動する。リング部材は犬の頭の部分を越えて首の周りにかぶさるようになる。リング部材が犬に当るとその衝撃でワイヤの輪がリング部材から外れ、ワイヤの輪が第２バネ部材の作用によって収縮して犬の首の部分に掛けられ犬が捕獲される。
【先行技術文献】
【特許文献】
【０００７】
【特許文献１】実用新案登録第２５７６０１８号公報
【特許文献２】特開平８−３２２４５２号公報
【考案の概要】
【考案が解決しようとする課題】
【０００８】
上記従来の括りわなは、いずれも、ワイヤの括り輪をバネで付勢して、捕獲具本体の開口部の外周に配置し、係止部材で係止する構成である。係止部材は、括り輪又は括り輪が掛けられるリング部材に接触した状態で、括り輪が開口部から外れないよう止める構成である。このような係止部材を有する構成では、係止部材とエサ取付部とを連動させるためのリンク機構が必要になる。そのため、構成が複雑になる。その結果、作製コストが高くなる。また、エサ及び括り輪の設置作業も複雑になる。その結果、捕獲具にエサをつけて設置する作業において、手順を誤ると、係止部材による括り輪の係止が外れて作業者がけがをする可能性が高くなる。
【０００９】
そこで、本考案は、簡単な構成を有する括りわなを提供することを目的とする。
【課題を解決するための手段】
【００１０】
本考案の一実施形態による括りわなは、互いに連結される第１及び第２の半環部材で構成され、前記第１及び第２の半環部材の連結部で折り曲げ可能な可動環と、前記可動環の外周に巻き付けられる括り輪を有し、前記括り輪が締まるように付勢可能な括りワイヤと、前記第１及び第２の半環部材それぞれの中央部から下方に延び、下方の端部が、前記可動環が折れ曲がっていない状態で上方から見て互いに重なっており、当該重なる位置に貫通孔が設けられる、第１及び第２の連結部材と、前記第１及び第２の連結部材の前記貫通孔に挿入され、エサを取り付け可能なピンと、を備える。
【００１１】
この実施形態における括りわなにおいて、動物が体の一部（例えば、腕）を可動環に通してエサをつかんで引っ張ると、エサに取り付けられたピンが、第１及び第２の連結部材の貫通孔から抜ける。ピンが抜けると第１及び第２の連結部材の貫通孔を有する端部が互いに離れる方向に動く。この第１及び第２の連結部材の動きに伴い、第１及び第２の半環部材が連結部を中心に回転する。すなわち、可動環が連結部で折れ曲がる。可動環が折れ曲がると可動環に巻き付けられた括り輪が外れて、可動環の通る動物の体の一部に掛かって締まる。これにより、動物が捕獲される。
【００１２】
このように、上記括りわなでは、可動環を構成する第１及び第２の半環部材からそれぞれ延びる第１及び第２の連結部材の端部の貫通孔からエサの付いたピンが抜かれることにより、可動環が折れ曲がり、括り輪が外れて動物を捕獲する。この構成では、括り輪または括り輪が巻き付けられるリングに接触して括り輪を係止する係止部材が不要となる。そのため、構造が簡単になる。さらに、上記括りわなでは、エサが取り付けられるピンが、括り輪が可動環から外れるのを止める安全ピンの機能を兼ねている。これにより、構造を簡単にするとともに、わなの設置作業における安全性を高めることができる。
【００１３】
上記括りわなは、上面に開口を有する容器と、前記開口に掛け渡され、互いに近づく方向に移動可能な一対の支持棒とをさらに備えてもよい。この場合、前記一対の支持棒それぞれの中央部は、前記第１及び第２の半環部材それぞれの前記中央部に接続することができる。
【００１４】
上記構成において、第１及び第２の連結部材の端部の貫通孔からエサの付いたピンが抜かれた時に、第１及び第２の連結部材の貫通孔が互いに離れる方向へ動くと、この動きに伴って、第１及び第２の半環部材が連結部を軸として回転する。このとき、第１及び第２の半環部材に接続された支持棒は、それぞれ、互いに近づく方向に移動するため、可動環が連結部で折れ曲がることができる。このように、支持棒は、可動環を、折れ曲がり可能な状態で、容器の開口に支持することができる。可動環を支持する容器を設けることで、括りわなの運搬及び設置を容易にすることができる。また、容器の開口以外からエサを取り出せないように容器の壁を形成することで、動物がエサをとるときは、腕など体の一部を可動環に通さざるを得ないよう仕向けることが可能になる。
【００１５】
前記容器の側面の少なくとも１つは、網又は透明部材で形成された面を有することができる。これにより、動物は、容器側面の網又は透明部材を通して、容器内に配置されたエサを視認することができる。そのため、動物が、わなのエサを見つけやすくなる。
【考案の効果】
【００１６】
本考案によれば、簡単な構成を有する括りわなを提供できる。
【図面の簡単な説明】
【００１７】
【図１】本考案の実施形態による括りわなの全体構成を示す斜視図である。
【図２】図１に示した括りわなのワイヤを外した場合の構成を示す斜視図である。
【図３】図１に示した括りわなにおける括りワイヤを示す斜視図である。
【図４】図１に示した括りわなの使用状態を示す概略図である。
【図５】図１に示した括りわなの使用状態を示す概略図である。
【図６】図１に示した括りわなの使用状態を示す概略図である。
【図７】図１に示した括りわなの使用状態を示す概略図である。
【図８】図１に示した括りわなの使用状態を示す概略図である。
【図９】図１に示した括りわなの使用状態を示す概略図である。
【考案を実施するための形態】
【００１８】
以下、図面を参照し、本考案の実施の形態を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００１９】
図１に示すように、本実施形態における括りわな１は、開口５０を有する容器５と、容器５の開口５０に配置される可動環２と、可動環２を支持する支持棒４ａ、４ｂと、可動環２に巻き付けられる括り輪を形成するワイヤ７ａと、ワイヤ７ａの括り輪が締まるよう付勢する圧縮バネ７３と、可動環２に連結される第１及び第２の連結部材３ａ、３ｂと、第１及び第２の連結部材３ａ、３ｂの端部の貫通孔３１ａ、３１ｂに挿入されるピン６とを備えている。
【００２０】
可動環２は、第１の半環部材２ａと第２の半環部材２ｂで構成される。第１の半環部材２ａと第２の半環部材２ｂは、互いに対向した状態で連結される。可動環２は、第１の半環部材２ａと第２の半環部材２ｂとの連結部２ｃで折れ曲げ可能に形成される。
【００２１】
具体的には、第１の半環部材２ａと第２の半環部材２ｂは、Ｕ字状に曲げられた板材で形成される。すなわち、第１の半環部材２ａと第２の半環部材２ｂは、一方向に凸となるよう曲げられた板材によって形成される。これら板材の凸の方向が互いに逆向きになるように、第１及び第２の半環部材２ａ、２ｂが対向して連結される。なお、第１及び第２の半環部材２ａの形状はこれに限られない。例えば、コの字状に曲げられた板材で第１及び第２の半環部材２ａが形成されてもよい。
【００２２】
連結部２ｃでは、第１の半環部材２ａの両端と、第２の半環部材２ｂの両端が重なるように配置される。連結部２ｃにおいて互いに重なる第１及び第２の半環部材２ａの部分に、ボルトが回転可能な状態で貫通している。これにより、第１及び第２の半環部材２ａ、２ｂは、ボルトの軸を回転軸として回転可能な状態で連結される。
【００２３】
また、第１及び第２の半環部材２ａ、２ｂの少なくとも一部には、周方向に沿って延びる溝２１ａ、２１ｂが形成される。溝２１ａ、２１ｂは、可動環２の内側へ向かって凹むよう形成される。溝２１ａ、２１ｂに、ワイヤ７ａの括り輪の少なくとも一部が配置される。これにより、動物がわなに掛かっていない状態では、括り輪が可動環２から外れにくくなる。すなわち、わなの誤作動が抑制される。
【００２４】
図１に示す例では、説明の便宜のため、第１及び第２の半環部材２ａ、２ｂが並ぶ方向（対向する方向）を左右方向とし、可動環２を垂直に貫通する方向を上下方向、左右方向及び上下方向に垂直な方向を前後方向とする。図中の矢印Ｒ、Ｌ、Ｕ、Ｄ、Ｆ、Ｂは、それぞれ、右、左、上、下、前、後の方向を示す。図１に示す例では、連結部２ｃで第１及び第２の半環部材２ａ、２ｂを貫通するボルトの軸は、前後方向に延びている。
【００２５】
第１の連結部材３ａの上方の端部３ａ１は、第１の半環部材２ａの中央部に接続される。第１の連結部材３ａは、第１の半環部材２ａの中央部から下方（すなわち、可動環２を貫く方向）に延び、途中で可動環２の径方向内側へ向かって曲がって形成される。そのため、第１の連結部材３ａの下方の端部３ａ２は、上方から見て可動環２の内側に位置する。
【００２６】
第２の連結部材３ｂでも、同様に、上方の端部３ｂ１が、第２の半環部材２ｂの中央部に接続される。第２の連結部材３ｂは、第２の半環部材２ｂの中央部から下方に延び、途中で可動環２の径方向内側へ向かって曲がって形成される。そのため、第２の連結部材３ｂの他方の端部３ｂ２は、上から見て可動環２の内側に位置する。第１の連結部材３ａと第２の連結部材３ｂは、互いに対応するよう配置され、下方の部分では、互いに近づく方向へ曲がっている。
【００２７】
なお、第１及び第２の連結部材３ａ、３ｂが接続される第１及び第２の半環部材２ａ、２ｂの中央部は、厳密に第１及び第２の半環部材２ａ、２ｂの中央でなくてもよい。例えば、第１及び第２の半環部材２ａ、２ｂの中央からずれた位置であって、連結部２以外の位置に、第１及び第２の連結部材３ａ、３ｂが接続されてもよい。また、第１及び第２の連結部材３ａ、３ｂの上部が複数に分かれて形成され、それぞれ、複数の箇所で、第１及び第２の半環部材２ａ、２ｂと接続されてもよい。
【００２８】
可動環２が連結部２ｃで折れ曲がっていない状態（すなわち図１に示す状態）において、第１の連結部材３ａの下方の端部３ａ２と、第２の連結部材３ｂの下方の端部３ｂ２とは、上から見て互いに重なるよう配置される。第１の連結部材３ａの下方の端部３ａ２において、第２の連結部材３ｂと重なる部分には、貫通孔３１ａが設けられる。第２の連結部材３ｂの下方の端部３ｂ２において、第１の連結部材３ａと重なる部分にも、貫通孔３１ｂが設けられる。これらの貫通孔３１ａ、３１ｂには、ピン６が挿入される。ピン６には、エサＥが取り付けられる。
【００２９】
第１の連結部材３ａの下方の端部３ａ２の上面には、第１のプレート３４ａが設けられる。第２の連結部材３ｂの下方の端部３ｂ２の上面には、第２のプレート３４ｂが設けられる。可動環２が連結部２ｃで折れ曲がっていない状態において、第１のプレート３４ａの右端と、第２のプレート３４ｂの左端は、互いに接するように配置される。第２のプレート３４ｂの左端は、直角に折れ曲がっている。これにより、第１のプレート３４ａと第２のプレート３４ｂが接する部分の面積をより多く確保することができる。第１のプレート３４ａと第２のプレート３４ｂとが接する状態において、第１の連結部材３ａの貫通孔３１ａと、第２の連結部材３ｂの貫通孔３１ｂとが上から見て重なる位置に配置されるよう、第１のプレート３４ａ及び第２のプレート３４ｂが形成される。そのため、第１のプレート３４ａと第２のプレート３４ｂにより、２つの貫通孔３１ａ、３１ｂの位置を合わせることが容易になる。
【００３０】
ピン６は、貫通孔３１ａ、３１ｂに挿入される軸部と、軸部に接続されるリング状の頭部とを備える。ピンの頭部は、ピン６が貫通孔３１ａ、３１ｂを突き抜けないよう止める係止部となる。また、頭部のリングには、エサＥを取り付けるための締結帯が通される。図１に示す例では、エサＥを巻いた締結帯を頭部のリングに通すことで、エサＥがピン６に固定される。なお、エサＥをピン６に固定する構成は、この例に限られない。ピン６の頭部に鉤で形成し、鉤にエサＥを掛けることで、ピン６にエサＥを取りつけることもできる。
【００３１】
エサＥは、容器５の内部に配置される。そのため、容器５の中に、第１及び第２の連結部材３ａ、３ｂの少なくとも他方の端部３ａ２、３ｂ２が入るように、可動環２が一対の支持棒４ａ、４ｂにより支持されて配置される。すなわち、容器５の上面の開口５０から連結部材３ａ、３ｂが挿入された状態で、可動環２が容器５に対して支持される。
【００３２】
一対の支持棒４ａ、４ｂは、左右方向に移動可能な状態で、容器５の開口５０に掛け渡される。一対の支持棒４ａ、４ｂそれぞれの中央部は、第１及び第２の半環部材２ａ、２ｂそれぞれの中央部に接続される。具体的には、支持棒４ａの中央部は、第１の半環部材２ａの連結部２ｃとは反対側（左側）の端部に接続される。支持棒４ｂの中央部は、第２の半環部材２ｂの連結部２ｃとは反対側（右側）の端部に接続される。
【００３３】
支持棒４ａ、４ｂの両端部は、左右方向に移動可能な状態で、容器５に支持される。図１に示す例では、容器５の側面のうち、連結部２ｃの回転軸の方向（前後方向）に互いに対向する２つの側面それぞれに、支持棒４ａ、４ｂを左右方向に案内するガイド孔５２ａ、５２ｂが設けられる。支持棒４ａ、４ｂの各々は、２つのガイド孔５２ａ、５２ｂを貫通し、ガイド孔５２ａ、５２ｂ内で移動可能かつ回転可能な状態で支持される。図１に示す例では、支持棒４ａ、４ｂは、２つのガイド孔５２ａ、５２ｂを貫通するボルトで構成される。支持棒４ａ、４ｂのボルトの頭は、ガイド孔５２ａ、５２ｂより大きく、容器５の外側に配置される。支持棒４ａ、４ｂのボルトの頭と反対側の端も容器５の外側に突出し、これらの突出した部分にナットがはめ込まれる。このナットは、支持棒４ａ、４ｂがガイド孔５２ａ、５２ｂ内で回転できる程度に緩く締められる。
【００３４】
なお、支持棒４ａ、４ｂを左右方向に案内するガイドの構成は、これに限られない。例えば、容器５の前後方向に対向する２つの側面の上端に支持棒４ａ、４ｂを渡した状態で移動可能な構成とすることができる。この場合、２つの側面の上端に、支持棒４ａ、４ｂの動く範囲を規制する規制部材を設けることができる。
【００３５】
支持棒４ａの中央部には、ナット３３ａがはめ込まれている。ナット３３ａは、第１の半環部材２ａ及び第１の連結部材３ａに溶接により接続される。支持棒４ａは、第１の半環部材２ａの左端の下面と、第１の連結部材３ａの左面（左右方向の外側の面）を支持する構成となる。同様に、支持棒４ｂの中央部にはめ込まれたナット３３ｂは、第２の半環部材２ｂ及び第２の連結部材３ｂに溶接によって接続される。支持棒４ｂは、第２の半環部材２ｂの右端の下面と、第２の連結部材３ｂの右面（左右方向の外側の面）を支持する構成となる。なお、支持棒４ａ、４ｂのナット３３ａ、３３ｂは、半環部材２ａ、２ｂ又は連結部材３ａ、３ｂのいずれか一方に接続されてもよい。
【００３６】
図２に示すように、可動環２から括り輪のワイヤ７ａを外し、第１及び第２の連結部材３ａ、３ｂの貫通孔３１ａ、３１ｂからピン６を抜いた状態では、第１及び第２の連結部材３ａ、３ｂの他方の端部３ａ２、３ｂ２は、互いに離れた状態となり、可動環２は、連結部２ｃで折れ曲がる。このとき、支持棒４ａと支持棒４ｂの間の距離は、可動環２が折れ曲がっていないときに比べて小さくなる。可動環２が折れ曲がっていない状態から、折れ曲がる課程で、支持棒４ａ、４ｂは、ガイド孔５２ａ、５２ｂに沿って左右方向に互いに近づくよう移動する。このとき、支持棒４ａ、４ｂは、第１及び第２の半環部材２ａ、２ｂの回転に伴って回転する。
【００３７】
容器５の側面のうち、連結部２ｃの回転軸の方向（前後方向）に互いに対向する２つの側面には、それぞれ、窓５１ａ、５１ｂが設けられる。これらの窓５１ａ、５１ｂには、網が張られる。図１及び図２では、説明のため、窓５１ａの網の図示は省略している。網が張られた窓５１ａ、５１ｂを設けることにより、動物が、容器５中のエサＥを見つけやすくすることができる。また、網を張ることにより、窓５１ａ、５１ｂからエサＥを取られないようにできる。
【００３８】
なお、網を張る代わりに、容器５の側面の一部が網状（例えば、格子状）になるよう複数の孔を設けることにより、側面に網の面を形成することもできる。また、網のかわりに透明な樹脂板又はガラス板で形成される透明部材を設けることができる。容器５の側面のうち少なくとも１つの側面の全面に網又は透明部材の面を形成することもできる。或いは、容器５そのものを、透明部材又は網状の板で形成してもよい。
【００３９】
容器５の側面のうち、左右方向に互いに対向する２つの側面に下部には、窓５３ａ、５３ｂが設けられる。これらの窓５３ａ、５３ｂにより、容器５に水が溜まりにくくすることができる。これらの窓５３ａ、５３ｂは、動物が窓５３ａ、５３ｂからエサＥを取ることができない程度の大きさにすることが好ましい。
【００４０】
図３を参照し、ワイヤ７ａを含む括りワイヤ７の構成例を説明する。図３に示す括りワイヤ７は、長い金属製のワイヤ７ａで構成されており、ワイヤ７ａの一方の端部には括り輪７１が形成され、他方の端部には固定輪７２が形成されている。
【００４１】
括り輪７１は、ワイヤ７ａの一端部に固着された留め金具７４をワイヤ７ａに装着されて移動可能な締付金具７５に引っ掛けた状態で輪が作られるものである。この輪の大きさは、ワイヤ７ａに対する締付金具７５の位置調整により、拡縮自在となっている。
【００４２】
圧縮バネ７３は、ワイヤ７ａの長手方向に沿って長く形成されたコイル状のばねであり、ワイヤ７ａに挿通された状態で括りワイヤ７に装着されている。この圧縮バネ７３は、収縮状態に抗する外向きの弾性力によって、締付金具７５を留め金具７４の方向に押し込み、括り輪７１の輪の大きさを縮めるように作用するものである。
【００４３】
調整金具７６は、図３に示すように、円筒部７６ａと鍔部７６ｂとからなるハット状の形状をした金具であり、ワイヤ７ａに挿通された状態で括りワイヤ７に装着されている。この調整金具７６は、圧縮バネ７３と固定輪７２との間において、ワイヤ７ａに挿通された状態で括りワイヤ７に装着されている。調整金具７６は、後述する蝶ネジ７７で固定されない状態では、ワイヤ７ａに対して自由に移動できるようになっている。
【００４４】
蝶ネジ７７は、調整金具７６の円筒部７６ａのねじ穴（図示せず）に対して、ワイヤ７ａの方向に向かい螺合されるものである。
【００４５】
調整金具７６は、蝶ネジ７７の螺合状態において、蝶ネジ７７の先端がワイヤ７ａにねじ込まれることにより、ワイヤ７ａに対して固定される。これによって、ワイヤ７ａの適宜の位置に調整され、その位置にて調整金具７６を固定できるようになっている。
【００４６】
圧縮バネ７３は、蝶ネジ７７にて固定される前の調整金具７６を用いて、括り輪７１の方向に押し付けられることにより、圧縮された状態となる。この圧縮バネ７３の圧縮状態の時に、蝶ネジ７７により調整金具７６をワイヤ７ａに固定すれば、固定された調整金具７６の位置において、圧縮状態の蝶バネ７３における弾性力を調整することができる。
【００４７】
［使用方法］
以下、図４〜図９を参照しながら、括りわな１の使用方法を説明する。図４〜図９は、括りわな１を側面から見た場合の構成を示し、説明をわかりやすくするために、容器５の図示を省略している。
【００４８】
図４は、括りワイヤ７、ピン６及びエサＥを取り付ける前の括りわな１の状態を示す。この状態では、可動環２が連結部２ｃで折れ曲がり、連結部材３ａ、３ｂの貫通孔３１ａ、３１ｂは、左右方向に離れた状態となっている。括りわな１を設置する際には、まず、可動環２を折れ曲がっていない状態にして、貫通孔３１ａ、３１ｂが上から見て重なる状態にする。この状態で、貫通孔３１ａ、３１ｂにエサＥの付いたピン６を挿入する。これにより、図５に示す状態となる。
【００４９】
このとき、括りワイヤ７を掛ける前にエサＥをセットできるので、エサＥをわなに取り付ける作業中に括りワイヤ７が作動する危険を避けることができる。また、ピン６を貫通孔３１ａ、３１ｂに挿入することで、可動環２が折れ曲がらない状態が保持される。すなわち、ピン６が、わなの誤作動を防ぐ安全ピンの機能を果たす。そのため、括りワイヤ７を可動環２に掛ける作業（後述）において、作業者の意図に反して、可動環２が折れ曲がって括り輪７１が締まり、作業者がけがをするといった事態を避けることができる。
【００５０】
図６に示すように、ワイヤ７ａの括り輪７１の部分を可動環２に掛ける。括り輪７１が可動環２に掛かった状態で、調整金具７６を、締付金具７５の方へ向かって押すことで、調整金具７６と、締付金具７５の間にある圧縮バネ７３を圧縮する。圧縮バネ７３が圧縮された状態で、調整金具７６の蝶ネジ７７を締めて調整金具７６をワイヤ７ａに対して固定する。これにより、括り輪７１が締まるよう付勢した状態で、括り輪７１を可動環２に巻き付けることができる。このとき、第１の半環部材２ａの溝２１ａ、及び第２の半環部材２ｂの溝２１ｂに、括り輪７１のワイヤ７ａが沿うように配置される。
【００５１】
ワイヤ７ａの端部に形成されている固定輪７２を周囲の木又は杭などに取り付けて固定すると、括りわな１の設置作業が終了する。
【００５２】
図７に示すように、例えば、サルのような動物は、エサＥを取るため、可動環２に手を通す。サルがエサＥを掴んで引っ張ると、ピン６が貫通孔３１ａ、３１ｂから抜ける。ピン６が抜けると、図８に示すように、貫通孔３１ａ、３１ｂの部分が互いに離れるように、第１及び第２の連結部材３ａ、３ｂが動き、これに伴って、第１及び第２の半環部材２ａが連結部２ｃを中心に回転する。すなわち、可動環２が連結部２ｃで折れ曲がる。可動環２が折れ曲がると、括り輪７１が、可動環２から外れて、圧縮バネ７３の力によって締まる。この時、括り輪７１にはサルの腕が通っているので、図９に示すように、サルの腕は括り輪７１で締められる。このようにして、サルは捕獲される。
【００５３】
このように、本実施形態の括りわな１は、腕でエサを掴んで引っ張る動作をするサルの捕獲に好適に用いることができる。例えば、イノシシ、鹿、アライグマ、ヌートリア等のように、ある程度奥行きのある空間に腕又は頭を突っ込んでエサを掴み引っ張るという動作ができない動物は、括りわな１に掛かりにくい。そのため、括りわな１は、サルのみを捕獲の対象としたわなとして用いることができる。
【００５４】
例えば、ニホンザルを捕獲の対象とする場合、可動環２の折れ曲がっていない状態における左右方向における寸法を、例えば、８０〜２２０ｍｍに、可動環２の前後方向の寸法を７０〜１５０ｍｍ以下にすることができる。これにより、ニホンザルの腕が通るのに適した大きさの可動環２を形成することができる。また、第１及び第２の連結部材３ａ、３ｂの上下方向における長さは、例えば、１００〜２３０ｍｍとすることができる。これにより、第１及び第２の連結部材３ａ、３ｂの上下方向の寸法を、ニホンザルの成体の手から肘関節までの長さの半分より長く、手から肩関節までの長さより短い長さにすることができる。一例として、可動環２の可動環２の折れ曲がっていない状態における左右方向における寸法を１５１ｍｍ、可動環２の前後方向の寸法（連結部２ｃ間の寸法）を１１１ｍｍ、第１及び第２の連結部材の上下方向の寸法を１３０ｍｍとすることができる。
【００５５】
［実施形態の効果］
上記実施形態における括りわな１は、括り輪７１を掛けた可動環２の両端から延び互いに対向する一対の連結部材３ａ、３ｂの端部の貫通孔３１ａ、３１ｂに挿入されたピン６が抜かれることにより、可動環２が折れ曲がって括り輪７１が外れる構成になっている。これにより、簡単な構成を持つ、括りわなを実現することができる。例えば、本実施形態の括りわな１では、括り輪を係止する係止部材と、エサの動きに連動して係止部材を動かす機構等のような複雑な機構が不要になる。そのため、製造コスト及び設置作業難易度が低い括りわなを提供できる。
【００５６】
また、可動環２から延びた一対の連結部材３ａ、３ｂの他方の端部３ａ２、３ｂ２のピン６にエサＥを取りつける構成であるため、ある程度奥行きのある空間に腕など体の一部を挿入してエサをとる動作が可能な動物（特に、サル）に適したわなを提供することができる。
【００５７】
また、括りわな１は、設置場所及び設置形態の制限が少ない構成である。括りわな１の設置場所は、地面に限られない。例えば、木の幹や枝、フェンス、建物の壁、電信柱等に設置することができる。また、括りわな１の設置状態は、容器５の下面が地面に向き、容器５の上面（開口）が天に向く状態に限られない。例えば、図１に示す括りわな１の左右方向及び前後方向が垂直方向（天地方向）となり、図１に示す括りわな１の上下方向が水平方向となるように、括りわな１を配置することができる。或いは、容器５の下面が天に、上面が地に向く状態で括りわな１を配置することもできる。
【００５８】
[その他の実施形態]
上記実施形態では、容器５に可動環２が支持される構成であるが、容器５以外のものに可動環２が支持される構成とすることもできる。例えば、地面に掘った穴や、壁などに設けられた凹部の開口部分に可動環２を配置した構成であってもよい。
【００５９】
可動環２の括り輪７１が巻き付けられる部分の形状は、上記例のように角のない形状の他、例えば、矩形形状などのように角がある形状であってもよい。
【００６０】
上記実施形態では、第１及び第２の連結部材３ａ、３ｂは、下方の部分で略直角に折れ曲がっているが、下方にいくにつれて徐々に内側へ曲がって形成されてもよい。また、上記実施形態では、第１及び第２の連結部材３ａ、３ｂは、第１及び第２の半環部材２ａ、３ｂの左右方向の端部において、可動環２の外側に接続されているが、接続位置はこれに限られない。例えば、第１及び第２の連結部材３ａ、３ｂは、可動環２の外側に接続されてもよい。また、ナット３３ａ、３３ｂは、第１及び第２の連結部材３ａ、３ｂの内側に接続されてもよい。
【００６１】
上記実施形態の括りわな１は、サル捕獲用の適した大きさ及び形状を有するが、括りわな１の寸法及び形状を変えて他の動物の捕獲用の括りわなを形成することもできる。例えば、サル以外の動物を捕獲対象とする場合、その捕獲対象の動物が、可動環２に首を通した状態でエサを口でくわえて引っ張るのに適した寸法で、可動環２、第１及び第２の連結部材３ａ、３ｂを形成することができる。
【００６２】
以上、本考案についての実施形態を説明したが、本考案は上述の実施形態のみに限定されず、考案の範囲内で種々の変更が可能である。
【産業上の利用可能性】
【００６３】
本考案は、括りわなとして産業上の利用が可能である。
【符号の説明】
【００６４】
１      括りわな
２      可動環
２ａ、２ｂ      半環部材
３ａ、３ｂ      連結部材
３１ａ、３１ｂ  貫通孔
４ａ、４ｂ      支持棒
５      容器
６      ピン
７ａ    ワイヤ
７１    括り輪
【図１】
0003200950.tif 000003
【図２】
0003200950.tif 000004
【図３】
0003200950.tif 000005
【図４】
0003200950.tif 000006
【図５】
0003200950.tif 000007
【図６】
0003200950.tif 000008
【図７】
0003200950.tif 000009
【図８】
0003200950.tif 000010
【図９】
0003200950.tif 000011